(57)【要約】【解決手段】脆性板の表面を押圧する押圧部材と、前記脆性板の裏面を支持する支持部材とを用いて、前記脆性板を曲げ変形させることにより前記脆性板の表面の切線に沿って前記脆性板を割断する折り工程を有する、脆性板の加工方法であって、前記支持部材は、前記脆性板の一部を平坦に支持する平坦部と、前記脆性板の残部の所定位置を前記押圧部材によって押圧した場合に前記脆性板の曲げ変形の形状を規定する規定部とを含み、前記折り工程では、前記脆性板の前記一部を前記平坦部によって平坦に支持すると共に、前記脆性板の前記残部の所定位置を前記押圧部材によって押圧することにより、前記脆性板の前記残部の前記切線に沿って前記脆性板を割断する、脆性板の加工方法。
2015098598.tif 000002
【特許請求の範囲】
【請求項１】
脆性板の表面を押圧する押圧部材と、前記脆性板の裏面を支持する支持部材とを用いて、前記脆性板を曲げ変形させることにより前記脆性板の表面の切線に沿って前記脆性板を割断する折り工程を有する、脆性板の加工方法であって、
前記支持部材は、前記脆性板の一部を平坦に支持する平坦部と、前記脆性板の残部の所定位置を前記押圧部材によって押圧した場合に前記脆性板の曲げ変形の形状を規定する規定部とを含み、
前記折り工程では、前記脆性板の前記一部を前記平坦部によって平坦に支持すると共に、前記脆性板の前記残部の所定位置を前記押圧部材によって押圧することにより、前記脆性板の前記残部の前記切線に沿って前記脆性板を割断する、脆性板の加工方法。
【請求項２】
前記切線の少なくとも一部は、前記押圧部材による押圧時に前記脆性板の前記規定部によって支持される部分に含まれる、請求項１に記載の脆性板の加工方法。
【請求項３】
前記規定部は、前記押圧部材による押圧前に前記脆性板の裏面を支持せず、前記押圧部材による押圧時に前記脆性板の裏面を支持する規定面を有し、該規定面の形状によって前記脆性板の曲げ変形の形状を規定する、請求項１または２に記載の脆性板の加工方法。
【請求項４】
前記平坦部の前記脆性板を支持する平坦面に対する前記規定面の傾斜角が０．３°〜５°である、請求項３に記載の脆性板の加工方法。
【請求項５】
前記規定部は、前記押圧部材の押圧力に応じた弾性変形をすることにより前記脆性板の曲げ変形の形状を規定する、請求項１または２に記載の脆性板の加工方法。
【請求項６】
前記切線は、平面視で前記平坦部側に凹む凹部を有する、請求項１〜５のいずれか１項に記載の脆性板の加工方法。
【請求項７】
前記平坦部の前記脆性板を支持する平坦面の外縁は、内側に凹む凹部を有しない、請求項１〜６のいずれか１項に記載の脆性板の加工方法。
【請求項８】
前記平坦部の前記脆性板を支持する平坦面の外縁は、内側に凹む凹部を有し、
平面視において、前記外縁の前記凹部の両端を結ぶ直線と前記外縁の前記凹部とで囲まれる領域に前記切線が重ならない、請求項１〜６のいずれか１項に記載の脆性板の加工方法。
【請求項９】
前記規定部が前記平坦部の外縁を取り囲む、請求項１〜８のいずれか１項に記載の脆性板の加工方法。
【請求項１０】
脆性板の表面を押圧する押圧部材と、前記脆性板の裏面を支持する支持部材とを有し、前記脆性板を曲げ変形させることにより前記脆性板の表面の切線に沿って前記脆性板を割断する、脆性板の加工装置であって、
前記支持部材は、前記脆性板の一部を平坦に支持する平坦部と、前記脆性板の残部の所定位置を前記押圧部材によって押圧した場合に前記脆性板の曲げ変形の形状を規定する規定部とを含み、
前記脆性板の前記残部の前記切線に沿って前記脆性板を割断する、脆性板の加工装置。
【請求項１１】
前記規定部は、前記押圧部材による押圧前に前記脆性板の裏面を支持せず、前記押圧部材による押圧時に前記脆性板の裏面を支持する規定面を有し、該規定面の形状によって前記脆性板の曲げ変形の形状を規定する、請求項１０に記載の脆性板の加工装置。
【請求項１２】
前記平坦部の前記脆性板を支持する平坦面に対する前記規定面の傾斜角が０．３°〜５°である、請求項１１に記載の脆性板の加工装置。
【請求項１３】
前記規定部は、前記押圧部材による押圧力に応じた弾性変形をすることにより前記脆性板の曲げ変形の形状を規定する、請求項１０に記載の脆性板の加工装置。
【請求項１４】
前記平坦部の前記脆性板を支持する平坦面の外縁は、内側に凹む凹部を有しない、請求項１０〜１３のいずれか１項に記載の脆性板の加工装置。
【請求項１５】
前記規定部が前記平坦部の外縁を取り囲む、請求項１０〜１４のいずれか１項に記載の脆性板の加工装置。
【発明の詳細な説明】
【技術分野】
【０００１】
本発明は、脆性板の加工方法、および脆性板の加工装置に関する。
【背景技術】
【０００２】
脆性板の加工方法は、切り工程と、折り工程とを有する（例えば特許文献１参照）。切り工程では脆性板の表面に切線を形成し、折り工程では切線に沿って脆性板を割断する。脆性板としては、例えばガラス板などが挙げられる。【０００３】
ところで、折り工程では、脆性板の表面を押圧する押圧部材と、脆性板の裏面を支持する支持部材としてのテンプレートとを用いる。テンプレートは脆性板の一部を平坦に支持し、押圧部材は脆性板の残部の所定位置を押圧する。テンプレートの支持面の外縁を支点として脆性板が曲げ変形され、応力が生じる。応力によって、切線が開き、切線に沿って脆性板が割断できる。
【先行技術文献】
【特許文献】
【０００４】
【特許文献１】日本国特開２０１１−２３１０１１号公報
【発明の概要】
【発明が解決しようとする課題】
【０００５】
従来、テンプレートが平坦に支持する脆性板の一部に切線が含まれていた。脆性板の表面に対して略垂直な割断面が得られるためである。【０００６】
しかしながら、脆性板の割断位置がテンプレートで支持されるため、切線が開きにくかった。そのため、割断時に脆性板の表面にかかる引張応力および脆性板の裏面にかかる圧縮応力の上昇速度が速く、必要以上の応力がかかり、欠けが生じることがあった。【０００７】
本発明は、上記課題に鑑みてなされたものであって、表面に対して略垂直な割断面を形成でき、且つ、割断による欠けの発生を抑制できる、脆性板の加工方法の提供を主な目的とする。
【課題を解決するための手段】
【０００８】
上記課題を解決するため、本発明の一態様によれば、
脆性板の表面を押圧する押圧部材と、前記脆性板の裏面を支持する支持部材とを用いて、前記脆性板を曲げ変形させることにより前記脆性板の表面の切線に沿って前記脆性板を割断する折り工程を有する、脆性板の加工方法であって、
前記支持部材は、前記脆性板の一部を平坦に支持する平坦部と、前記脆性板の残部の所定位置を前記押圧部材によって押圧した場合に前記脆性板の曲げ変形の形状を規定する規定部とを含み、
前記折り工程では、前記脆性板の前記一部を前記平坦部によって平坦に支持すると共に、前記脆性板の前記残部の所定位置を前記押圧部材によって押圧することにより、前記脆性板の前記残部の前記切線に沿って前記脆性板を割断する、脆性板の加工方法が提供される。
【発明の効果】
【０００９】
本発明の一態様によれば、表面に対して略垂直な割断面を形成でき、且つ、割断による欠けの発生を抑制できる、脆性板の加工方法が提供される。
【図面の簡単な説明】
【００１０】
【図１】本発明の第１実施形態によるガラス板の加工装置を示す図であって、押圧部材による押圧前の状態を示す図である。
【図２】本発明の第１実施形態によるガラス板の加工装置を示す図であって、押圧部材による押圧時の状態を示す図である。
【図３】本発明の第１実施形態によるテンプレートを示す平面図である。
【図４】図３に示すテンプレートと、切線との位置関係を示す平面図である。
【図５】変形例によるテンプレートと、切線との位置関係を示す平面図である。
【図６】本発明の第２実施形態によるガラス板の加工装置を示す図であって、押圧部材による押圧前の状態を示す図である。
【図７】本発明の第２実施形態によるガラス板の加工装置を示す図であって、押圧部材による押圧時の状態を示す図である。
【図８】実施例１〜実施例６によるガラス板の加工方法を示す図である。
【図９】比較例１および比較例２によるガラス板の加工方法を示す図である。
【発明を実施するための形態】
【００１１】
以下、本発明を実施するための形態について図面を参照して説明する。各図面において、同一の又は対応する構成には、同一の又は対応する符号を付して説明を省略する。以下の説明において、数値範囲を表す「〜」はその前後の数値を含む範囲を意味する。
【００１２】
［第１実施形態］
図１は、本発明の第１実施形態によるガラス板の加工装置を示す図であって、押圧部材による押圧前のガラス板の状態を示す図である。図２は、本発明の第１実施形態によるガラス板の加工装置を示す図であって、押圧部材による押圧時のガラス板の状態を示す図である。ガラス板１１の表面１１ａには切線１２が予め形成される。切線１２は、表面１１ａから所定の深さのクラックであって、例えばカッターまたはレーザを用いて形成される。
【００１３】
ガラス板の加工装置１０は、ガラス板１１の表面１１ａを押圧する押圧部材２０、およびガラス板１１の裏面１１ｂを支持する支持部材としてのテンプレート２１を有し、ガラス板１１を曲げ変形させることにより切線１２に沿ってガラス板１１を割断する。
【００１４】
押圧部材２０は、ガラス板１１の表面１１ａを押圧し、ガラス板１１を曲げ変形させる。押圧部材２０は切線１２に沿って間隔をおいて複数配設されてよい。押圧部材２０は例えば流体圧シリンダなどで構成されてよく、押圧部材２０の押圧力は制御装置４０によって制御されてよい。制御装置４０は、例えばメモリなどの記憶部およびＣＰＵ（Central Processing Unit）を有し、記憶部に記憶されたプログラムをＣＰＵに実行させることにより、押圧部材２０の押圧力を制御する。
【００１５】
テンプレート２１は、ガラス板１１の裏面１１ｂを支持する。テンプレート２１は、ガラス板１１の裏面１１ｂと接触してよい。尚、テンプレート２１は、ガラス板１１の裏面１１ｂと接触しなくてもよく、中間部材を介してガラス板１１の裏面１１ｂを支持してもよい。中間部材としては、例えばガラス板１１を搬送する搬送ベルトが挙げられる。
【００１６】
テンプレート２１は、真空吸着によってガラス板１１の裏面１１ｂを支持してもよいし、摩擦によってガラス板１１の裏面１１ｂを支持してもよい。テンプレート２１によるガラス板１１の支持方法は特に限定されない。
【００１７】
テンプレート２１は、平坦部２２と、規定部２４とを有する。平坦部２２は、ガラス板１１の一部を平坦に支持する平坦面２２ａを有する。平坦部２２の平坦面２２ａとは反対側の面２２ｂは、平坦面でなくてもよい。
【００１８】
規定部２４は、ガラス板１１の残部の所定位置に押圧部材２０を押し付けた場合にガラス板１１の曲げ変形の形状を規定する。ガラス板１１の曲げ変形は、平坦面２２ａの外縁を曲げ支点とする変形である。
【００１９】
ガラス板１１の曲げ変形によって、ガラス板１１の残部に含まれる切線１２に引張応力が作用し、切線１２が開き、ガラス板１１が割断される。本実施形態の切線１２は、従来と異なり、平坦部２２によって支持されるガラス板１１の一部ではなく、規定部２４によって曲げ変形の形状を規定するガラス板１１の残部に含まれる。そのため、切線１２が開きやすく、ガラス板１１の表面にかかる引張応力およびガラス板１１の裏面にかかる圧縮応力の上昇速度が遅く、最小限の応力で割断することが可能となり、ガラス板１１の欠けの発生が抑制できる。また、本実施形態によれば、ガラス板１１の曲げ変形は規定部２４によって規定されるため、ガラス板１１の表面１１ａに対して略垂直な割断面が得られる。切線１２の少なくとも一部は、押圧部材による押圧時にガラス板１１の規定部２４によって支持される部分に含まれてよく、平坦面２２ａに対して垂直な方向から見たときに規定部２４と重なってよい。これにより、上記効果がより得られやすい。
【００２０】
規定部２４は、押圧部材２０による押圧前にガラス板１１の裏面１１ｂを支持せず、押圧部材２０による押圧時にガラス板１１の裏面１１ｂを支持する規定面２４ａを有し、該規定面２４ａの形状によってガラス板１１の曲げ変形の形状を規定する。
【００２１】
規定面２４ａは、図１に示すように平坦面２２ａを含む平面から該平面に対して下方に離間している。規定面２４ａは、階段状に形成されてよい。高さの異なる複数のブロックを横に並べることでテンプレート２１が製作できる。大きさの異なる複数の板を上下に積層することでもテンプレート２１が製作できる。いずれの場合も、テンプレート２１の製作コストが安い。尚、規定面２４ａは、なだらかなスロープ状に形成されてもよい。押圧部材２０による押圧前にガラス板１１と規定面２４ａとの間に空間があればよい。
【００２２】
平坦面２２ａに対する規定面２４ａの傾斜角θは、例えば０．３°〜５°である。ここで、傾斜角θとは、平坦面２２ａの外縁に対して垂直な断面において、平坦面２２ａの外縁と規定面２４ａの外縁とを通る直線と、平坦面２２ａとのなす角をいう。傾斜角θが０．３°以上であれば、テンプレート２１を不必要に大きくすることなく、切線１２に作用する引張応力を十分に発生させることが可能である。また、傾斜角θが５°以下であれば、規定面２４ａの幅を広く確保できるのでガラス板１１の様々な形状に対応でき、また、ガラス板１１の表面１１ａに対して略垂直な割断面が形成できる。傾斜角θは、好ましくは０．５°以上であり、また４°以下である。
【００２３】
図３は、本発明の第１実施形態によるテンプレートを示す平面図である。図３に示すように、規定部２４は平坦部２２の外縁を取り囲んでよい。１枚のテンプレート２１によって形状の異なる複数種類の切線１２の割断に対応が可能である。複数種類の切線１２は、ある程度同じ大きさのものであればよく、例えば異なる車種の同一の取付位置の窓ガラス（例えば異なる車種のフロントガラス）の切線であってよい。
【００２４】
図４は、図３に示すテンプレートと、切線との位置関係を示す平面図である。図４において平坦面２２ａの外縁２２１を破線で示す。
【００２５】
図４に示すように、切線１２は閉じており、切線１２の内側から製品が取り出される。切線１２は、内側に凹む凹部１２ａを有してよい。この凹部１２ａは一般的にインカーブと呼ばれる。ガラス板１１のうち、凹部１２ａの両端を結ぶ直線１３と凹部１２ａとで囲まれる除去部分（図４に左下がりの斜線で示す部分）１４は、割断後に除去され、製品の一部とはならない。
【００２６】
尚、本実施形態の切線１２は平面視で閉じているが、閉じていなくてもよい。切線１２の凹部１２ａは、平面視で平坦部２２側に凹む線であればよい。
【００２７】
本実施形態によれば、上述の如く、ガラス板１１の割断時にガラス板１１に加える荷重が軽減できる。そのため、除去部分１４を複数の領域に分割して割断する場合に、複数の領域を区画する切線の数が低減できる。除去部分１４を複数の領域に分割せずに割断することも可能である。
【００２８】
図４に示すように、平坦面２２ａの外縁２２１は、外側に凸の曲線部分、および直線部分の少なくともいずれか（本実施形態では直線部分）のみを有し、内側に凸の曲線部分を有しなくてよい。つまり、平坦面２２ａの外縁２２１は、内側に凹む凹部を有しなくてよい。
【００２９】
図５は、変形例によるテンプレートと、切線との位置関係を示す平面図である。図５において平坦面２２ａの外縁２２１を破線で示す。
【００３０】
図５に示すように、平坦面２２ａの外縁２２１は、内側に凹む凹部２２２を有してもよい。この場合、規定部２４の上方に、ガラス板１１の曲げ変形が困難な領域（図５に右下がりの斜線で示す領域）２２４が存在する。この領域２２４は、凹部２２２の両端を結ぶ直線２２３と、凹部２２２とで囲まれる領域である。
【００３１】
図４に示すように、平坦面２２ａの外縁２２１が凹部２２２（図５参照）を有しない場合、規定部２４の上方にガラス板１１の曲げ変形が困難な領域２２４（図５参照）が存在しない。そのため、ガラス板１１の割断時にガラス板１１に加える荷重が軽減できる。
【００３２】
一方、図５に示すように、平坦面２２ａの外縁２２１が凹部２２２を有する場合、ガラス板１１の曲げ変形が困難な領域２２４に切線１２が重ならない。よって、平坦面２２ａの外縁２２１が凹部２２２を有しない場合と同様に、ガラス板１１の割断時にガラス板１１に加える荷重が軽減できる。
【００３３】
尚、図４に示す切線１２は、内側に凹む凹部１２ａを有するが、凹部１２ａを有しなくてもよい。この場合に、平坦面２２ａの外縁２２１が凹部２２２を有しなくてよい。規定部２４の上方にガラス板１１の曲げ変形が困難な領域２２４が存在しないため、ガラス板１１の割断時にガラス板１１に加える荷重が軽減できる。
【００３４】
同様に、図５に示す切線１２は、内側に凹む凹部１２ａを有するが、凹部１２ａを有しなくてもよい。この場合に、平坦面２２ａの外縁２２１が凹部２２２を有し、ガラス板１１の曲げ変形が困難な領域２２４に切線が重ならなくてよい。ガラス板１１の割断時にガラス板１１に加える荷重が軽減できる。
【００３５】
次に、図１および図２を再度参照して、上記ガラス板の加工装置１０を用いたガラス板の加工方法について説明する。ガラス板の加工方法は、ガラス板１１の表面１１ａを押圧する押圧部材２０と、ガラス板１１の裏面１１ｂを支持するテンプレート２１とを用いて、ガラス板１１を曲げ変形させることにより、ガラス板１１の表面１１ａの切線１２に沿ってガラス板１１を割断する折り工程を有する。
【００３６】
折り工程では、ガラス板１１の一部を平坦部２２で支持すると共に、ガラス板１１の残部の所定位置を押圧部材２０によって押圧する。押圧部材２０による押圧力によって、ガラス板１１は、平坦面２２ａの外縁２２１を曲げ支点として曲げ変形される。ガラス板１１の曲げ変形は、規定部２４により規定される。
【００３７】
ガラス板１１の曲げ変形によって、ガラス板１１の残部に含まれる切線１２に引張応力が作用し、切線１２が開き、ガラス板１１が割断される。本実施形態の切線１２は、従来と異なり、平坦部２２によって支持されるガラス板１１の一部ではなく、規定部２４によって曲げ変形の形状を規定するガラス板１１の残部に含まれる。そのため、切線１２が開きやすく、ガラス板１１にかかる荷重が低減でき、ガラス板１１の欠けの発生が抑制できる。また、本実施形態によれば、ガラス板１１の曲げ変形は規定部２４によって規定されるため、ガラス板１１の表面１１ａに対して略垂直な割断面が得られる。
【００３８】
少なくとも１つの押圧部材２０は、図１および図２に示すように、ガラス板１１の表面１１ａのうち、切線１２を基準として、平坦部２２とは反対側の部分（図１および図２において切線１２よりも左側の部分）を押圧する。切線１２に引張応力が作用し、切線１２が開きやすい。
【００３９】
残りの少なくとも１つの押圧部材２０は、切線１２を押してもよい。切線１２に圧縮応力が作用する。切線１２の場所毎に応力が調整でき、クラックの伸展が調整できる。
【００４０】
［第２実施形態］
図６は、本発明の第２実施形態によるガラス板の加工装置を示す図であって、押圧部材の押し付け前の状態を示す図である。図７は、本発明の第２実施形態によるガラス板の加工装置を示す図であって、押圧部材の押し付け時の状態を示す図である。
【００４１】
テンプレート２１Ａは、図１および図２に示す規定部２４の代わりに、規定部２４Ａを有する。規定部２４Ａは、ガラス板１１の所定位置に押圧部材２０を押し付けた場合にガラス板１１の曲げ変形の形状を規定する。ガラス板１１の曲げ変形は、平坦面２２ａの外縁を曲げ支点とする変形である。
【００４２】
ガラス板１１の曲げ変形によって、ガラス板１１の残部に含まれる切線１２に引張応力が作用し、切線１２が開き、ガラス板１１が割断される。本実施形態の切線１２は、従来と異なり、平坦部２２によって支持されるガラス板１１の一部ではなく、規定部２４Ａによって曲げ変形の形状を規定するガラス板１１の残部に含まれる。そのため、切線１２が開きやすく、ガラス板１１にかかる荷重が低減でき、ガラス板１１の欠けの発生が抑制できる。また、本実施形態によれば、ガラス板１１の曲げ変形は規定部２４Ａによって規定されるため、ガラス板１１の表面１１ａに対して略垂直な割断面が得られる。
【００４３】
規定部２４Ａは、押圧部材２０による押圧力に応じた弾性変形をすることによりガラス板１１の曲げ変形の形状を規定する。押圧部材２０による押圧力を解除すると、規定部２４Ａは元の形状に戻る。押圧部材２０による押圧前に、規定面２４Ａａは、平坦面２２ａと面一であってよく、ガラス板１１の裏面１１ｂを支持してよい。ガラス板１１の裏面１１ｂ全体が常に支持できる。
【００４４】
押圧部材２０による押圧時に、ガラス板１１の曲げ変形部分の平坦面２２ａに対する傾斜角θＡは、例えば０．３°〜５°である。傾斜角θＡが０．３°以上であれば、押圧部材２０の進行方向後方において切線１２に作用する引張応力が十分に大きい。また、傾斜角θＡが５°以下であれば、ガラス板１１の表面１１ａに対して略垂直な切線１２が形成できる。傾斜角θＡは、好ましくは０．５°以上であり、また４°以下である。傾斜角θＡが上記範囲内となるように、規定部２４Ａの材料が選定されてよい。
【実施例】
【００４５】
図８は、実施例１〜実施例６によるガラス板の加工方法を示す図である。図８において押圧部材２０Ｂの押し下げ完了時の位置を点線で示す。【００４６】
実施例１〜実施例６では、ガラス板１１の表面を押圧する押圧部材２０Ｂと、ガラス板１１の裏面を支持するテンプレート２１Ｂとを用いて、ガラス板１１を曲げ変形させることにより、ガラス板１１の表面の切線１２に沿ってガラス板１１を割断した。テンプレート２１Ｂは平坦部２２Ｂおよび規定部２４Ｂを有し、規定部２４Ｂの規定面は平坦部２２Ｂの平坦面に対してなだらかに傾斜する。切線１２は、矩形状のガラス板１１の一辺に対して平行とし、ガラス板１１の一端から他端まで形成した。切線１２は、平坦部２２Ｂによって支持されるガラス板１１の一部ではなく、規定部２４Ｂによって曲げ変形の形状を規定するガラス板１１の残部に含めた。【００４７】
実施例１〜実施例６では、表１に示す条件以外は同じ条件でガラス板１１を割断した。「θＢ」は、平坦部２２Ｂの平坦面に対する規定部２４Ｂの規定面の傾斜角を表す。「ａ」は、平坦部２２Ｂの平坦面の外縁から切線１２までの水平方向距離を表す。「ｂ」は、切線１２から押圧位置までの水平方向距離を表す。「ｃ」は、自然状態のガラス板１１の上面に当接した時点からの押圧部材２０Ｂの押し下げ量を表す。「ｔ」は、ガラス板１１の厚みを表す。【００４８】
図９は、比較例１および比較例２によるガラス板の加工方法を示す図である。図９において、押圧部材２０Ｃの押し下げ完了時の位置を点線で示す。【００４９】
比較例１および比較例２では、ガラス板１１の表面を押圧する押圧部材２０Ｃと、ガラス板１１の裏面を支持するテンプレート２１Ｃとを用いて、ガラス板１１を曲げ変形させることにより、ガラス板１１の表面の切線１２に沿ってガラス板１１を割断した。比較例１および比較例２では、平坦部のみを有するテンプレート２１Ｃを用い、ガラス板１１のテンプレートで支持される部分に切線１２を含めた以外、実施例１〜実施例６と同じ条件で、ガラス板１１を割断した。【００５０】
割断結果を表１に示す。割断結果は、割断による欠けの有無で評価した。【００５１】
【表１】
2015098598.tif 000003
表１から明らかなように、実施例１〜実施例６ではθＢが０．３°〜５°の範囲内であり、切線１２は規定部２４Ｂによって曲げ変形の形状を規定するガラス板１１の残部に含まれるため、割断による欠けが無かった。一方、比較例１および比較例２では、切線１２はガラス板１１のテンプレート２１Ｃで支持される部分に含まれるため、割断による欠けが有った。欠けはガラス板１１の裏面に生じた。【００５２】
以上、脆性板としてのガラス板の加工方法の実施形態などを説明したが、本発明は上記実施形態などに限定されず、特許請求の範囲に記載された本発明の要旨の範囲内において、種々の変形、改良が可能である。【００５３】
例えば、上記実施形態の脆性板は、ガラス板であるが、金属シリコン板、セラミック板などでもよい。【００５４】
本出願は、２０１３年１２月２７日に日本国特許庁に出願された特願２０１３−２７３３３１号に基づく優先権を主張するものであり、特願２０１３−２７３３３１号の全内容を本出願に援用する。
【符号の説明】
【００５５】
１０  ガラス板の加工装置
１１  ガラス板
１１ａ  ガラス板の表面
１１ｂ  ガラス板の裏面
１２  切線
１２ａ  切線のうち、平面視で平坦部側に凹む凹部
１３  凹部の両端を結ぶ直線
１４  凹部の両端を結ぶ直線と凹部とで囲まれる部分
２０  押圧部材
２１  テンプレート
２２  平坦部
２２ａ  平坦面
２２１  平坦面の外縁
２２２  平坦面の外縁のうち、内側に凹む凹部
２２３  凹部の両端を結ぶ直線
２２４  凹部の両端を結ぶ直線と凹部とで囲まれる領域
２４  規定部
２４ａ  規定面
２４Ａ  規定部
２４Ａａ  規定面
４０  制御装置
【図１】
2015098598.tif 000004
【図２】
2015098598.tif 000005
【図３】
2015098598.tif 000006
【図４】
2015098598.tif 000007
【図５】
2015098598.tif 000008
【図６】
2015098598.tif 000009
【図７】
2015098598.tif 000010
【図８】
2015098598.tif 000011
【図９】
2015098598.tif 000012
【国際調査報告】
2015098598.tif 000013
2015098598.tif 000014
2015098598.tif 000015
2015098598.tif 000016